(57)【要約】【課題】本発明は、バッテリを安全に充電することができる電源タップを提供することを目的とする。【解決手段】本発明に係る電源タップは、本体と、２つの接続部品と、スイッチと、バッテリ固定部品とを備え、本体には、収容溝が設けられ、収容溝は、底壁と、対向する第一端壁および第二端壁と、に包囲されて形成され、接続部品は、回転可能に第一端壁に装着され、且つ底壁を貫通して本体内に設置されている回路構造に接続され、また各接続部品は、底壁に当接してバッテリに電気的に接続できるピンを備え、スイッチは第二端壁に装着され、バッテリ固定部品は、スライド可能に本体に装着される作動部を備え、作動部は、第一端壁と共にバッテリを挟んで固定し、且つ第二端壁へスライドされてスイッチが押圧されると、本体はパワーオフされ、作動部が第二端壁へ再びスライドされてスイッチが押圧されると、本体はパワーオンされる。【選択図】図４
2014108050.tif 000002
【特許請求の範囲】
【請求項１】
本体と、
２つの接続部品と、
スイッチと、
バッテリ固定部品と、
を備えるバッテリを充電する電源タップであって、
前記本体には、収容溝が設けられ、前記収容溝は、底壁と、対向する第一端壁および第二端壁と、に包囲されて形成され、前記接続部品は、回転可能に前記第一端壁に装着され、且つ前記底壁を貫通して前記本体内に設置されている回路構造に接続され、また各前記接続部品は、前記底壁に当接してバッテリに電気的に接続できるピンを備え、前記スイッチは前記第二端壁に装着され、前記バッテリ固定部品は、スライド可能に前記本体に装着される作動部を備え、前記作動部は、前記第一端壁と共にバッテリを挟んで固定し、且つ前記第二端壁へスライドされて前記スイッチを押圧すると、前記本体をパワーオフし、前記作動部が前記第二端壁へ再びスライドされて前記スイッチを押圧すると、前記本体はパワーオンされることを特徴とするバッテリを安全に充電することができる電源タップ。
【請求項２】
前記第一端壁には、前記底壁を貫通する２つのスロットが設けられ、前記接続部品は、回転可能に前記スロットに其々収容されることを特徴とする請求項１に記載のバッテリを安全に充電することができる電源タップ。
【請求項３】
前記接続部品の上部には、絶縁材料によって製造された操作部が設置されていることを特徴とする請求項１または２に記載のバッテリを安全に充電することができる電源タップ。
【請求項４】
前記スイッチは、前記第二端壁に固定される頭部と、前記頭部内に収容される又は前記頭部内から退出されるボタンと、を備え、前記作動部を前記第二端壁へスライドさせ、前記ボタンを押圧して前記頭部内に収容させると、前記本体はパワーオフされ、前記作動部を前記第二端壁へ再びスライドさせ、前記ボタンを押圧して前記頭部内から退出させると、前記本体はパワーオンされることを特徴とする請求項１から３の何れか一項に記載のバッテリを安全に充電することができる電源タップ。
【請求項５】
更にバネを備え、前記作動部の前記第二端壁に対向する側には、柱体が突設され、前記バネの一端は、前記ボタンを収容し、前記バネの他端は、前記柱体を収容することを特徴とする請求項４に記載のバッテリを安全に充電することができる電源タップ。
【請求項６】
前記収容溝は更に対向する２つの側壁に包囲され、各側壁の外側には、係合口が設けられ、前記作動部は、連接部と、連接部の両側端から下方に其々垂直に延伸する当止部と、を備え、各当止部の内側には、１つの係合口に係合できる係合部が突設されていることを特徴とする請求項１から５の何れか一項に記載のバッテリを安全に充電することができる電源タップ。
【発明の詳細な説明】
【技術分野】
【０００１】
本発明は、バッテリを安全に充電することができる電源タップに関するものである。
【背景技術】
【０００２】
従来の技術において、携帯電話を充電する時は、専用の充電器を用意しなければならない。従って、充電器を失くしたり、旅行に行った際に携帯するのを忘れた場合に不便である。この問題を解決するために、携帯電話のバッテリを電源タップに挿入すると充電できる電源タップが製造されたが、該電源タップのバッテリ充電構造は、バッテリをパワーオン／オフできる装置が別に設置されていないため、例えば、使用者が電源タップの電源スイッチをオフし忘れた場合、バッテリはそのまま充電され、バッテリはショートを起こすおそれがある。
【発明の概要】
【発明が解決しようとする課題】
【０００３】
本発明の目的は、前記問題を解決し、バッテリを安全に充電することができる電源タップを提供することである。
【課題を解決するための手段】
【０００４】
上記目的を達成するために、本発明に係る電源タップは、本体と、２つの接続部品と、スイッチと、バッテリ固定部品とを備える。前記本体には、収容溝が設けられ、該収容溝は、底壁と、対向する第一端壁および第二端壁と、に包囲されて形成され、接続部品は、回転可能に第一端壁に装着され、且つ前記底壁を貫通して本体内に設置されている回路構造に接続され、また各前記接続部品は、前記底壁に当接してバッテリに電気的に接続できるピンを備え、前記スイッチは第二端壁に装着され、バッテリ固定部品は、スライド可能に本体に装着される作動部を備え、前記作動部は、前記第一端壁と共にバッテリを挟んで固定し、且つ前記第二端壁へスライドされて前記スイッチが押圧されると、前記本体はパワーオフされ、前記作動部が前記第二端壁へ再びスライドされて前記スイッチが押圧されると、前記本体はパワーオンされる。
【発明の効果】
【０００５】
本発明に係る電源タップは、作動部を第二端壁へスライドさせることによって本体をパワーオフさせた後、バッテリを固定して充電するので、バッテリを収容溝内に挿入する際回路短路は発生しない。従って、バッテリを安全に充電することができる。
【図面の簡単な説明】
【０００６】
【図１】本発明の実施形態に係る電源タップの分解斜視図である。
【図２】図１に示す電源タップのＩＩ部分の拡大図である。
【図３】図１に示す電源タップの立体組立図である。
【図４】図３に示す電源タップのＩＶ−ＩＶ線に沿った断面図である。
【発明を実施するための形態】
【０００７】
図１及び図２に示したように、本発明の実施形態に係る電源タップは、本体１０と、バッテリ固定部品２０と、２つの接続部品１１０と、を備える。
【０００８】
本体１０の上面の一端には、収容溝１２が設けられている。収容溝１２は、底壁１２０と、互いに対向する２つの側壁１００と、互いに対向する端壁１２２、１２４とに包囲されて形成されている。各側壁１００の外側の上部には、窪部１４が設けられている。各側壁１００の上面には、収容溝１２及び窪部１４と連通する切欠口１４３がそれぞれ設けられている。各窪部１４の上部には、直方体の突起部１４２が突設され、該突起部１４２の下方には、係合口１４４が形成されている。端壁１２２の内側には、底壁１２０から端壁１２２の上面まで貫通する２つのスロット１２６が設けられている。スロット１２６の切断面は、半円形を呈する。
【０００９】
バッテリ固定部品２０は、作動部２１と、スイッチ２３と、バネ２５と、を備える。
【００１０】
作動部２１は、連接部２１０と、連接部２１０の両側端から外部へ向けて其々延伸する２つの延伸部２１１と、延伸部２１１の末端から下方に向けて垂直に延伸する２つの当止部２１２と、を備える。各当止部２１２の内側の底部には、係合部２１４が内側に突出している。各係合部２１４の切断面は、三角形を呈する。連接部２１０の上面には、滑止部２１６が設けられている。連接部２１０の前側の中央部には、収容孔２２０が設けられている。収容孔２２０の底面からは、柱体２２２が突出している。
【００１１】
図４に示したように、スイッチ２３は、従来の電源スイッチの仕組みと同じである。スイッチ２３は、端壁１２４に固定される頭部２３０と、該頭部２３０内に収容される又は頭部２３０内から退出されるボタン２３２と、を備える。ボタン２３２は押圧されると、頭部２３０内に進入し（つまり、収容される）、本体１０をパワーオフする。また、ボタン２３２は、再度押圧されると、頭部２３０内から退出して、本体１０をパワーオンする。
【００１２】
図２〜図４を参照すると、接続部品１１０は、回転可能に本体１０のスロット１２６に其々収容される。各接続部品１１０の一部分からはピン１１４がそれぞれ延出し、且つ底壁１２０の上面に当接される。各接続部品１１０の上部には、絶縁材料により製造された操作部１１６が設置されている。また、各接続部品１１０の底部は、底壁１２０を挿通して、本体１０内に設置されている回路構造（図示せず）に電気的に接続される。
【００１３】
バッテリ固定部品２０を本体１０に装着する際、作動部２１の延伸部２１１を本体１０の切欠口１４３に其々スライド可能に係合させる。この時、当止部２１２は窪部１４に其々スライド可能に係合されて、係合部２１４は係合口１４４に其々スライド可能に係合される。これによって、作動部２１をスライド可能に本体１０に装着することができる。次いで、バネ２５の一端内にボタン２３２を収容し、バネ２５の他端を収容孔２２０内に進入させて、柱体２２２を収容する。即ち、バネ２５は、端壁１２４と作動部２１との間に装着される。
【００１４】
バッテリ３０を充電する際、先ず端壁１２４に向けて作動部２１をスライドさせ、バネ２５を弾性変形させる。この時、柱体２２２は、ボタン２３２を押圧して、ボタン２３２を頭部２３０内に収容させる。これによって、本体１０はパワーオフされる。次いで、バッテリ３０を端壁１２２の内側に沿って収容溝１２内に挿入し、且つピン１１４と電気的に接続させる。次いで、再び作動部２１を端壁１２４に向けてスライドさせて、柱体２２２によってボタン２３２を押圧して、ボタン２３２を頭部２３０内から退出させる。これによって、本体１０はパワーオンされ、バッテリ３０に対して充電を開始する。作動部２１は、バネ２５の弾性復帰力によってバッテリ３０に向けて移動し、端壁１２２と共にバッテリ３０を挟んで固定する。
【００１５】
他のタイプのバッテリを固定する際、操作部１１６を操作して、接続部品１１０を回転させ、ピン１１４を適当な位置に移動させれば良い。
【００１６】
以上、本発明を実施形態に基づいて具体的に説明したが、本発明は、上述の実施形態に限定されるものではなく、その要旨を逸脱しない範囲において、種種の変更が可能であることは勿論であって、本発明の技術的範囲は、添付の特許請求の範囲から決まる。
【符号の説明】
【００１７】
１０  本体
１００  側壁
１１０  接続部品
１１４  ピン
１１６  操作部
１２  収容溝
１２０  底壁
１２２、１２４  端壁
１２６  スロット
１４  窪部
１４２  突起部
１４３  切欠口
１４４  係合口
２０  バッテリ固定部品
２１  作動部
２１０  連接部
２１１  延伸部
２１２  当止部
２１４  係合部
２１６  滑止部
２２０  収容孔
２２２  柱体
２３  スイッチ
２３０  頭部
２３２  ボタン
２５  バネ
３０  バッテリ
【図１】
2014108050.tif 000003
【図２】
2014108050.tif 000004
【図３】
2014108050.tif 000005
【図４】
2014108050.tif 000006